(57)【要約】【課題】デジタルカメラのモードを遠隔操作によりスマートデバイス側から変更することで鏡筒が繰り出す場合に、ユーザの気がつかないところで鏡筒が繰り出すことによりカメラが転倒することを防止する。【解決手段】接続先の機器から撮像装置を撮影モードに変更した場合に鏡筒の繰り出しが発生するときのみ接続先の機器に警告メッセージを表示することを特徴とする。【選択図】図７
2018180307.tif 000002
【特許請求の範囲】
【請求項１】
情報処理装置と無線で接続する手段と、
接続先の情報処理装置からカメラモードを変更する手段と、
接続先の情報処理装置からの撮影指示を行う手段と、
接続先の情報処理装置からの再生指示を行う手段と、
撮影モードへのモード変更時に鏡筒を繰り出す手段と、を有し、
接続先からのカメラモード切り替え要求受信時に、鏡筒が繰り出される場合は鏡筒繰り出し警告メッセージを接続先の情報処理装置に表示する指示を出すことを特徴とする画像撮影装置。
【請求項２】
再生モードから撮影モードへのカメラモード変更時に鏡筒の繰り出しがなければ鏡筒繰り出し警告メッセージを表示せずにカメラモード変更を行うことを特徴とする請求項１に記載の画像撮影装置。
【発明の詳細な説明】
【技術分野】
【０００１】
本発明は、無線通信を介して他の機器と通信可能な画像撮影装置に関する。
【背景技術】
【０００２】
近年、携帯電話を含むスマートデバイスと無線ＬＡＮ（Ｌｏｃａｌ  Ａｒｅａ  Ｎｅｔｗｏｒｋ）やＢｌｕｅｔｏｏｔｈ（商標）を介して接続し、携帯電話から遠隔操作が可能なデジタルカメラが知られてきている。スマートデバイスからデジタルカメラに画像を送信したり、スマートデバイス側からデジタルカメラの撮影を指示したり、スマートデバイスから遠隔操作をすることで可能な機能は複数考えられる。
【０００３】
コンパクトデジタルカメラは撮影する際にレンズの繰り出し、沈胴の動作があり、無線通信を利用してスマートデバイスとデジタルカメラが接続されている場合はユーザが近くにいないことも考えられる。そのためユーザの意図しないところで鏡筒の繰り出しが行われることもあり、カメラが鏡筒の繰り出しによりバランスを崩して倒れてしまう可能性がある。
【０００４】
デジタルカメラの転倒を防止するための技術として、ペットボトルに取り付けられた状態でのデジタルカメラのズーム操作に対して警告を行う技術が知られている（特許文献１）。
【先行技術文献】
【特許文献】
【０００５】
【特許文献１】特開２００７−７２１０３号公報
【発明の概要】
【発明が解決しようとする課題】
【０００６】
上述の技術の場合、デジタルカメラが遠隔操作された場合のズーム操作に対しての警告について着目されているが、すでに撮影モードで操作しているため鏡筒が繰り出していることをユーザが理解していることも多い。カメラには画像を撮影するためのモードと再生するためのモードがある。もっとも注意すべきは再生モードから撮影モードへのモード変更時の鏡筒繰り出しであり、カメラのモードを撮影モードに変更することにより鏡筒の繰り出しが発生した場合、鏡筒が繰り出すことをユーザが意図していないことも多い。そのためユーザの気がつかないところでカメラがバランスを崩して倒れてしまう可能性が高まるという課題がある。一方、再生モードから撮影モードへモード変更する際、既に鏡筒が繰り出されている場合は鏡筒の繰り出しが発生しないため、鏡筒繰り出しによりカメラがバランスを崩すことは考えにくい。
【課題を解決するための手段】
【０００７】
上記の課題を解決するために、本発明に係る画像撮影装置は、
情報処理装置と無線で接続する手段と、接続先の情報処理装置からカメラモードを変更する手段と、接続先の情報処理装置からの撮影指示を行う手段と、接続先の情報処理装置からの再生指示を行う手段と、撮影モードへのモード変更時に鏡筒を繰り出す手段と、を有し、接続先からのカメラモード切り替え要求受信時に、鏡筒が繰り出される場合は鏡筒繰り出し警告メッセージを接続先の情報処理装置に表示する指示を出すことを特徴とする。
【発明の効果】
【０００８】
本発明に係る画像撮影装置によれば、デジタルカメラのモードを遠隔操作によりスマートデバイス側から変更することで鏡筒が繰り出す場合に、ユーザの気がつかないところで鏡筒が繰り出すことによりカメラが転倒することを防止することができる。
【図面の簡単な説明】
【０００９】
【図１】（ａ）第１の実施形態におけるデジタルカメラの構成を示すブロック図である。（ｂ）、（ｃ）第１の実施形態におけるデジタルカメラの外観図である。
【図２】（ａ）第１の実施形態におけるスマートデバイスの構成を示すブロック図である。（ｂ）第１の実施形態におけるスマートデバイスの外観図である。
【図３】第１の実施形態におけるスマートデバイスの表示例である。
【図４】第１の実施形態におけるデジタルカメラとスマートデバイスのシーケンス図である。
【図５】第１の実施形態におけるデジタルカメラとスマートデバイスのシーケンス図である。
【図６】第１の実施形態におけるデジタルカメラとスマートデバイスのシーケンス図である。
【図７】第１の実施形態におけるデジタルカメラのフローチャートである。
【発明を実施するための形態】
【００１０】
以下に、本発明を実施するための形態について、添付の図面を用いて詳細に説明する。なお、以下に説明する実施の形態は、本発明の実現手段としての一例であり、本発明が適用される装置の構成や各種条件によって適宜修正又は変更されてもよい。また、各実施の形態を適宜組み合せることも可能である。
【００１１】
［第１の実施形態］
＜デジタルカメラ１００の構成＞
図１（ａ）は、本実施形態であるデジタルカメラ１００の構成例を示すブロック図である。なお、ここでは通信装置の一例としてデジタルカメラについて述べる。
【００１２】
制御部１０１は、入力された信号や、後述のプログラムに従ってデジタルカメラ１００の各部を制御する。なお、制御部１０１が装置全体を制御する代わりに、複数のハードウェアが処理を分担することで、装置全体を制御してもよい。
【００１３】
撮像部１０２は、例えば、光学レンズユニットと絞り・ズーム・フォーカスなど制御する光学系と、光学レンズユニットを経て導入された光（映像）を電気的な映像信号に変換するための撮像素子などで構成される。撮像素子としては、一般的には、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）や、ＣＣＤ（Ｃｈａｒｇｅ  Ｃｏｕｐｌｅｄ  Ｄｅｖｉｃｅ）が利用される。撮像部１０２は、制御部１０１に制御されることにより、撮像部１０２に含まれるレンズで結像された被写体光を、撮像素子により電気信号に変換し、ノイズ低減処理などを行いデジタルデータを画像データとして出力する。本実施形態のデジタルカメラ１００では、画像データは、ＤＣＦ（Ｄｅｓｉｇｎ  Ｒｕｌｅ  ｆｏｒ  Ｃａｍｅｒａ  Ｆｉｌｅ  ｓｙｓｔｅｍ）の規格に従って、記録媒体１０７に記録される。
【００１４】
不揮発性メモリ１０３は、電気的に消去・記録可能な不揮発性のメモリであり、制御部１０１で実行される後述のプログラム等が格納される。
【００１５】
作業用メモリ１０４は、撮像部１０２で撮像された画像データを一時的に保持するバッファメモリや、表示部１０６の画像表示用メモリ、制御部１０１の作業領域等として使用される。
【００１６】
操作部１０５は、ユーザがデジタルカメラ１００に対する指示をユーザから受け付けるために用いられる。操作部１０５は例えば、ユーザがデジタルカメラ１００の制御部１０１への電力供給を含む主電源のＯＮ／ＯＦＦを指示するための電源ボタンや、撮影を指示するためのレリーズスイッチ、画像データの再生を指示するための再生ボタンを含む。さらに、後述の通信部１１１を介して外部機器との通信を開始するための専用の接続ボタンなどの操作部材を含む。また、後述する表示部１０６に形成されるタッチパネルも操作部１０５に含まれる。なお、レリーズスイッチは、ＳＷ１およびＳＷ２を有する。レリーズスイッチが、いわゆる半押し状態となることにより、ＳＷ１がＯＮとなる。これにより、ＡＦ（オートフォーカス）処理、ＡＥ（自動露出）処理、ＡＷＢ（オートホワイトバランス）処理、ＥＦ（フラッシュプリ発光）処理等の撮影準備を行うための指示を受け付ける。また、レリーズスイッチが、いわゆる全押し状態となることにより、ＳＷ２がＯＮとなる。これにより、撮影を行うための指示を受け付ける。
【００１７】
表示部１０６は、撮影の際のビューファインダー画像の表示、撮影した画像データの表示、対話的な操作のための文字表示などを行う。なお、表示部１０６は必ずしもデジタルカメラ１００が内蔵する必要はない。デジタルカメラ１００は内部又は外部の表示部１０６と接続することができ、表示部１０６の表示を制御する表示制御機能を少なくとも有していればよい。
【００１８】
記録媒体１０７は、撮像部１０２から出力された画像データを記録することができる。記録媒体１０７は、デジタルカメラ１００に着脱可能なよう構成してもよいし、デジタルカメラ１００に内蔵されていてもよい。すなわち、デジタルカメラ１００は少なくとも記録媒体１０７にアクセスする手段を有していればよい。
【００１９】
電源管理部１０８はデジタルカメラ１００が動作するための電力を供給するためのユニットである。電源管理部１０８はデジタルカメラ１００全体に電力を供給するほかに、後述する副制御部１１６・近距離無線通信部１１２に限定して電力を供給することができる。以後、デジタルカメラ１００全体に電力が供給されている状態を電源ＯＮ状態、副制御部１１６・近距離無線通信部１１２に限定して電力を供給している状態をスタンバイ状態、デジタルカメラ１００全体へ電力供給が断たれている状態を電源ＯＦＦ状態と呼称する。スタンバイ状態では、デジタルカメラ１００は消費電力が極めて低い状態に保つことができる。
【００２０】
通信部１１１は、外部装置と接続するためのインターフェースである。本実施形態のデジタルカメラ１００は、通信部１１１を介して、外部装置とデータのやりとりを行うことができる。例えば、撮像部１０２で生成した画像データを、通信部１１１を介して外部装置に送信することができる。なお、本実施形態では、通信部１１１は外部装置とＩＥＥＥ８０２．１１の規格に従った、いわゆる無線ＬＡＮで通信するためのインターフェースを含む。制御部１０１は、通信部１１１を制御することで外部装置との無線通信を実現する。
【００２１】
近距離無線通信部１１２は、例えば無線通信のためのアンテナと無線信号を処理するため変復調回路や通信コントローラから構成される。近距離無線通信部１１２は、変調した無線信号をアンテナから出力し、またアンテナで受信した無線信号を復調することによりＩＥＥＥ８０２．１５の規格（いわゆるＢｌｕｅｔｏｏｔｈ（登録商標））に従った近距離無線通信を実現する。本実施形態においてＢｌｕｅｔｏｏｔｈ（登録商標）通信は、低消費電力であるＢｌｕｅｔｏｏｔｈ（登録商標）  Ｌｏｗ  Ｅｎｅｒｇｙのバージョン４．０を採用する。このＢｌｕｅｔｏｏｔｈ（登録商標）通信は、無線ＬＡＮ通信と比べて通信可能な範囲が狭い（つまり、通信可能な距離が短い）。また、Ｂｌｕｅｔｏｏｔｈ（登録商標）通信は、無線ＬＡＮ通信と比べて通信速度が遅い。その一方で、Ｂｌｕｅｔｏｏｔｈ（登録商標）通信は、無線ＬＡＮ通信と比べて消費電力が少ない。
【００２２】
本実施形態のデジタルカメラ１００は、近距離無線通信部１１２を介して、外部装置とデータのやりとりを行うことができる。例えば外部装置から撮影の命令を受信した場合は撮像部１０２を制御し、撮影動作を行い、無線ＬＡＮ通信によるデータの授受を行うための命令を受信した場合は通信１１１を制御し、無線ＬＡＮ通信を開始する。また近距離無線通信部１１２は前述のスタンバイ状態での動作が可能なため、スタンバイ状態で外部装置からデジタルカメラ電源ＯＮの命令を受信した場合は後述する副制御部１１６を介してデジタルカメラ１００全体の電源供給を開始することが可能である。
【００２３】
副制御部１１６は近距離無線通信部１１２を制御し、外部装置との近距離無線通信を制御する装置である。また前述の通り、副制御部１１６はスタンバイ状態でも動作が可能な構成となっている。外部装置から近距離無線通信部１１２を介してデジタルカメラ１００の電源をＯＮする命令を受信した際には電源管理部１０８を制御し、デジタルカメラ１００全体への電源供給を開始することが可能である。
【００２４】
次に、デジタルカメラ１００の外観について説明する。図１（ｂ）、図１（ｃ）はデジタルカメラ１００の外観の一例を示す図である。レリーズスイッチ１０５ａや再生ボタン１０５ｂ、方向キー１０５ｃ、タッチパネル１０５ｄは、前述の操作部１０５に含まれる操作部材である。また、表示部１０６には、撮像部１０２による撮像の結果得られた画像が表示される。
【００２５】
以上がデジタルカメラ１００の説明である。
【００２６】
＜スマートデバイス２００の内部構成について＞
図２は、本実施形態の情報処理装置の一例であるスマートデバイス２００の構成例を示すブロック図である。なお、スマートデバイスとはスマートフォン等の携帯電話やいわゆるタブレットデバイスを含む。なお、ここでは情報処理装置の一例としてスマートデバイスについて述べるが、情報処理装置はこれに限られない。例えば情報処理装置は、無線機能付きのデジタルカメラやプリンタ、テレビ、あるいはパーソナルコンピュータなどであってもよい。
【００２７】
制御部２０１は、入力された信号や、後述のプログラムに従ってスマートデバイス２００の各部を制御する。なお、制御部２０１が装置全体を制御する代わりに、複数のハードウェアが処理を分担することで、装置全体を制御してもよい。
【００２８】
撮像部２０２は、撮像部２０２に含まれるレンズで結像された被写体光を電気信号に変換し、ノイズ低減処理などを行い、デジタルデータを画像データとして出力する。撮像した画像データはバッファメモリに蓄えられた後、制御部２０１にて所定の演算を行い、記録媒体２０７に記録される。
【００２９】
不揮発性メモリ２０３は、電気的に消去・記録可能な不揮発性のメモリである。不揮発性メモリ２０３には、制御部２０１が実行する基本的なソフトウェアであるＯＳ（オペレーティングシステム）や、このＯＳと協働して応用的な機能を実現するアプリケーションが記録されている。また、本実施形態では、不揮発性メモリ２０３には、デジタルカメラ１００と通信するためのアプリケーション（以下アプリ）が格納されている。
【００３０】
作業用メモリ２０４は、表示部２０６の画像表示用メモリや、制御部２０１の作業領域等として使用される。
【００３１】
操作部２０５は、スマートデバイス２００に対する指示をユーザから受け付けるために用いられる。操作部２０５は例えば、ユーザがスマートデバイス２００の電源のＯＮ／ＯＦＦを指示するための電源ボタンや、表示部２０６に形成されるタッチパネルなどの操作部材を含む。
【００３２】
表示部２０６は、画像データの表示、対話的な操作のための文字表示などを行う。なお、表示部２０６は必ずしもスマートデバイス２００が備える必要はない。スマートデバイス２００は表示部２０６と接続することができ、表示部２０６の表示を制御する表示制御機能を少なくとも有していればよい。
【００３３】
記録媒体２０７は、撮像部２０２から出力された画像データを記録することができる。記録媒体２０７は、スマートデバイス２００に着脱可能なよう構成してもよいし、スマートデバイス２００に内蔵されていてもよい。すなわち、スマートデバイス２００は少なくとも記録媒体２０７にアクセスする手段を有していればよい。
【００３４】
通信部２１１は、外部装置と接続するためのインターフェースである。本実施形態のスマートデバイス２００は、通信部２１１を介して、デジタルカメラ１００とデータのやりとりを行うことができる。本実施形態では、通信部２１１はアンテナであり、制御部２０１は、アンテナを介して、デジタルカメラ１００と接続することができる。なお、デジタルカメラ１００との接続では、直接接続してもよいしアクセスポイントを介して接続してもよい。データを通信するためのプロトコルとしては、例えば無線ＬＡＮを通じたＰＴＰ／ＩＰ（Ｐｉｃｔｕｒｅ  Ｔｒａｎｓｆｅｒ  Ｐｒｏｔｏｃｏｌ  ｏｖｅｒ  Ｉｎｔｅｒｎｅｔ  Ｐｒｏｔｏｃｏｌ）を用いることができる。なお、デジタルカメラ１００との通信はこれに限られるものではない。
【００３５】
近距離無線通信部２１２は、例えば無線通信のためのアンテナと無線信号を処理するため変復調回路や通信コントローラから構成される。近距離無線通信部２１２は、変調した無線信号をアンテナから出力し、またアンテナで受信した無線信号を復調することによりＩＥＥＥ８０２．１５の規格（いわゆるＢｌｕｅｔｏｏｔｈ（登録商標））に従った近距離無線通信を実現する。本実施形態においてＢｌｕｅｔｏｏｔｈ（登録商標）通信は、低消費電力であるＢｌｕｅｔｏｏｔｈ（登録商標）  Ｌｏｗ  Ｅｎｅｒｇｙのバージョン４．０（ＢＬＥ）を採用する。このＢｌｕｅｔｏｏｔｈ（登録商標）通信は、無線ＬＡＮ通信と比べて通信可能な範囲が狭い（つまり、通信可能な距離が短い）。また、Ｂｌｕｅｔｏｏｔｈ（登録商標）通信は、無線ＬＡＮ通信と比べて通信速度が遅い。その一方で、Ｂｌｕｅｔｏｏｔｈ（登録商標）通信は、無線ＬＡＮ通信と比べて消費電力が少ない。
【００３６】
本実施系におけるデジタルカメラ１００との近距離無線通信においては、最初にペアリングと呼ばれる近距離無線通信における１：１接続のための操作によってデジタルカメラ１００の近距離無線通信部１１２と接続する必要がある。ペアリング操作においては例えばデジタルカメラ１００がＰｅｒｉｐｈｅｒａｌとなり、近距離無線通信部１１２を用いてＡｄｖｅｒｔｉｓｅと呼ばれる自分の存在を周辺に知らせる動作を行う。そしてスマートデバイス２００がＣｅｎｔｒａｌとして動作し、近距離無線通信部２１２を用いてＳｃａｎ動作を行うことによって、デジタルカメラ１００を発見し、Ｉｎｉｔｉａｔｅ動作によって参加要請を行うことによって近距離無線通信接続を行う。
【００３７】
なお、ペアリングという用語は暗号化をともなうＢｌｕｅｔｏｏｔｈ接続の際に限定して使用されることもあるが、本発明においては暗号化の有無に関わらず、近距離無線通信を用いた１：１接続のための操作をペアリングと呼ぶ。
【００３８】
公衆網接続部２１３は、公衆無線通信を行う際に用いられるインターフェースである。スマートデバイス２００は、公衆網接続部２１３を介して、他の機器と通話することができる。この際、制御部２０１はマイク２１４およびスピーカ２１５を介して音声信号の入力と出力を行うことで、通話を実現する。本実施形態では、公衆網接続部２１３はアンテナであり、制御部２０１は、アンテナを介して、公衆網に接続することができる。なお、接続部２１１および公衆網接続部２１３は、一つのアンテナで兼用することも可能である。
【００３９】
次に、スマートデバイス２００の外観について説明する。図２（ｂ）はスマートデバイス１００の外観の一例を示す図である。電源ボタン２０５ａやホームボタン２０５ｂ、タッチパネル２０５ｃは、前述の操作部２０５に含まれる操作部材である。ホームボタン２０５ｂはユーザが押下することで実行中のアプリケーションを中断し、表示部２０６へ他のアプリケーションを選択できるホーム画面を表示することができる。
【００４０】
以上がスマートデバイス２００の説明である。
【００４１】
以降、図３から図７を用いてスマートデバイス２００からデジタルカメラ１００をＢｌｕｅｔｏｏｔｈ  Ｌｏｗ  Ｅｎｅｒｇｙ（ＢＬＥ）で遠隔操作し、各機能を動作させるまでの流れを説明する。
【００４２】
スマートデバイス２００によってデジタルカメラ１００を遠隔操作して行うことのできる機能として、ＢＬＥからの無線ＬＡＮ接続によるカメラ内の画像取得（以降ハンドオーバーと呼ぶ）、リモコン（撮影／再生）などがある。
【００４３】
ハンドオーバーはデジタルカメラ１００をスマートデバイス２００の操作のみで無線ＬＡＮ接続し、デジタルカメラ１００内の画像をスマートデバイス２００に取り込む機能である。
【００４４】
リモコン（撮影／再生）は、スマートデバイス２００側からカメラの操作をコントロールし、それぞれ撮影機能、再生機能を操作することができる。リモコン機能実行中にスマートデバイス２００側からカメラのモードを切り替えることができる。デジタルカメラ１００には撮影モードと再生モードがある。画像を撮影する際はカメラのモードは撮影モードになり、再生する際は再生モードとして動作する。撮影モード時のリモコンを撮影リモコン、再生モード時のリモコンを再生リモコンと呼ぶ。
【００４５】
レンズ一体型デジタルカメラの場合、撮影モード、再生モードを切り替える際に鏡筒の繰り出し、沈胴が発生する。撮影モード時は鏡筒が繰り出され、再生モード時は鏡筒が沈胴する。
【００４６】
鏡筒の繰り出しを行う際、鏡筒の重みでデジタルカメラ１００が転倒する恐れがある。そのため、モード切り替えを操作したスマートデバイス２００側にカメラの鏡筒を繰り出す旨の警告メッセージを表示し、ユーザに注意喚起する機能がある。再生モードから撮影モードにモード切り替えの指示をだしたときにスマートデバイス２００側に鏡筒繰り出し警告メッセージが表示される。しかし、デジタルカメラ１００に鏡筒の沈胴タイミングを変更する設定があった場合、モードを変更したあとも設定時間内は鏡筒の状態が変更されることがない。たとえば、鏡筒沈胴時間を１分に設定した場合、再生モードへモード変更してから１分後に鏡筒が沈胴することになる。鏡筒の状態が変更されないうちにカメラモードを変更した場合、再生モードから撮影モードに変更しても鏡筒が繰り出したままの可能性がある。モード変更を契機に警告メッセージを表示した場合は、鏡筒の繰り出しが発生しないにもかかわらず警告メッセージが表示されるという事態が発生してしまう。
【００４７】
図３（ａ）はスマートデバイス２００の画面例である。スマートデバイス２００の画面からハンドオーバー、リモコンを選択し、デジタルカメラ１００の機能を切り替えることができる。図３（ａ）の「ハンドオーバー」を選択した場合はＢＬＥ接続から無線ＬＡＮの通信に切り替えることにより、画像の転送をすることができる。図３（ａ）の「リモコン」を選択した場合は、デジタルカメラ１００のモードに合わせたリモコン機能を実行することができ、スマートデバイス２００からデジタルカメラ１００を遠隔操作することができる。
【００４８】
図３（ｂ）はスマートデバイス２００の撮影リモコン時の画面例である。ここで例に挙げている撮影リモコン機能はスマートデバイス２００側からの撮影の設定変更は行わせない。撮影のための諸々の設定はデジタルカメラ１００の本体操作で行い、スマートデバイス２００からは主に静止画、動画の撮影の指示をあたえるだけである。もちろん、スマートデバイス２００からデジタルカメラ１００の設定を変更できるようにすることも可能である。
【００４９】
図３（ｃ）はスマートデバイス２００の再生リモコン時の画面例である。ここで例に挙げている再生リモコンでは、デジタルカメラ１００側で行うことができる画像再生の機能をスマートデバイス２００側で実行することができる。再生リモコンの機能は、画像送り、画像の拡大縮小表示、マルチ再生、動画再生などである。
【００５０】
デジタルカメラ１００は、メニューから画像の保護、削除、トリミングなどの編集機能を備えている。ここではデジタルカメラ１００のメニューから行う編集機能はスマートデバイス２００側から行うことを考慮していないが、スマートデバイス２００にデジタルカメラ１００で操作可能なボタンを表示することで、スマートデバイス２００側からすべての再生機能を実行することも可能である。
【００５１】
図３（ｂ）の撮影リモコン、図３（ｃ）の再生リモコンともに、カメラモードを切り替えるボタンを持ち、デジタルカメラ１００のカメラモードをスマートデバイス２００側から切り替えることができる。また、切り替え後のカメラモードに合わせたリモコン画面の表示をスマートデバイス２００側で表示することができる。
【００５２】
図３（ｃ）の画面を表示しているときにスマートデバイス２００からデジタルカメラ１００を撮影モードへの変更指示をした場合、図３（ｄ）の鏡筒繰り出し警告画面が表示される。ユーザが「はい」を選択した場合はデジタルカメラ１００が撮影モードに切り替えられて鏡筒の繰り出しが行われる。図３（ｄ）でユーザが「はい」を選択しない限りデジタルカメラ１００は撮影モードへの変更はされず、鏡筒が繰り出されることはない。「いいえ」を選択した場合は再生モードのまま、モード変更は行われない。図３（ｃ）の画面が表示されていて、かつ、デジタルカメラ１００の鏡筒が繰り出されている状態のときは撮影モードへの変更指示を受け取っても図３（ｄ）の鏡筒繰り出し警告画面は表示せずに撮影モードへ遷移する。そして、スマートデバイス２００は図３（ｂ）の表示に切り替わる。
【００５３】
図４を用いて本実施形態におけるデジタルカメラ１００とスマートデバイス２００のシーケンスの流れを説明する。
【００５４】
本シーケンスはデジタルカメラ１００の近距離無線通信部１１２とスマートデバイス２００の近距離無線通信部２１２がＢＬＥによって通信接続され、かつ再生モードでリモコン機能が開始されている状態である。
【００５５】
Ｓ４０１でユーザがスマートデバイス２００上のモード切り替えボタンで「撮影」を選択する。Ｓ４０２でスマートデバイス２００からデジタルカメラ１００へ撮影モード変更要求が通知される。デジタルカメラ１００はＳ４０３で鏡筒の状態を確認し、現状、鏡筒が繰り出していない場合はＳ４０４で鏡筒繰り出しエラーをスマートデバイス２００へ通知する。スマートデバイス２００は自身のＬＣＤに鏡筒繰り出し警告メッセージを表示する（Ｓ４０５）。Ｓ４０５で表示した鏡筒繰り出し警告メッセージに対してユーザが「はい」を選択した場合（Ｓ４０６）、Ｓ４０７でスマートデバイス２００からデジタルカメラ１００へ強制撮影モード変更要求を通知する。デジタルカメラ１００は強制撮影モード変更要求をうけると撮影モードへとモード変更を行い、鏡筒を繰り出す（Ｓ４０８）。デジタルカメラ１００はモード変更が終了するとスマートデバイス２００に対して撮影リモコン開始通知を通知する（Ｓ４０９）。
【００５６】
図４のＳ４０５の鏡筒繰り出し警告メッセージに対してユーザが「いいえ」を選択した場合のシーケンスを図５に示す。Ｓ５０１からＳ５０５は図４のＳ４０１からＳ４０５と同様の流れである。Ｓ５０５の鏡筒繰り出し警告メッセージに対してユーザが「いいえ」を選択した場合（Ｓ５０６）、デジタルカメラ１００側にはモード変更通知は通知されない。デジタルカメラ１００のモードは再生モードのまま変更されない。
【００５７】
図６はデジタルカメラ１００が撮影モードへのモード変更通知を受けたときに、すでに鏡筒が繰り出している場合のシーケンスである。
【００５８】
本シーケンスはデジタルカメラ１００の近距離無線通信部１１２とスマートデバイス２００の近距離無線通信部２１２がＢＬＥによって通信接続され、かつ再生モードでリモコン機能が開始されている状態である。
【００５９】
Ｓ６０１でユーザがスマートデバイス２００上のモード切り替えボタンで「撮影モード」を選択する。Ｓ６０２でスマートデバイス２００からデジタルカメラ１００へ撮影モード変更要求が通知される。デジタルカメラ１００はＳ６０３で鏡筒の状態を確認し、現状、鏡筒が繰り出している場合は撮影モードへのモード変更を行う。デジタルカメラ１００は撮影モードへのモード変更が完了するとスマートデバイス２００に対して撮影リモコン開始通知を通知する。
【００６０】
次に図７を用いて本実施形態におけるデジタルカメラ１００の処理の流れを説明する。本フローチャートはデジタルカメラ１００の近距離無線通信部１１２とスマートデバイス２００の近距離無線通信部２１２がＢＬＥによって通信可能状態にあり、ユーザとスマートデバイス２００のタッチパネル２０５ｃの操作によってデジタルカメラ１００をＢＬＥで制御するためのアプリケーションを起動し、再生リモコンを起動した状態から開始される。
【００６１】
Ｓ７０１は再生リモコンから撮影リモコンへのモード変更要求を受け付ける。Ｓ７０２でデジタルカメラ１００の鏡筒の状態を確認する。鏡筒が繰り出している場合はデジタルカメラ１００のカメラモードを撮影モードへ変更して撮影リモコンの開始通知をスマートデバイス２００へ通知する。Ｓ７０２でデジタルカメラ１００の鏡筒が繰り出していなかった場合は鏡筒繰り出し警告エラーをスマートデバイス２００へ通知する（Ｓ７０４）。スマートデバイス２００側のユーザ操作により鏡筒繰り出しＯＫの判定がでた場合はスマートデバイス２００からデジタルカメラ１００へ強制撮影モード変更要求が通知される。Ｓ７０５で強制撮影モード変更通知を受信した場合、デジタルカメラ１００はカメラモードを撮影モードへ遷移させる（Ｓ７０６）。Ｓ７０５において強制撮影モード変更要求を受信しなかった場合、デジタルカメラ１００はカメラモードの変更は行わない。
【００６２】
以上説明した本実施形態によると、デジタルカメラ１００がスマートデバイス２００からモード変更要求を受ける際に、必要なときのみスマートデバイス２００側に鏡筒繰り出し警告メッセージを表示することで、不要なガイダンス表示を防ぐことができる。
【００６３】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。プログラムを供給するための記録媒体としては、例えば、ハードディスク、磁気テープ等の磁気記録媒体、光／光磁気記憶媒体、不揮発性の半導体メモリでもよい。また、プログラムの供給方法としては、コンピュータネットワーク上のサーバに本発明を形成するコンピュータプログラムを記憶し、接続のあったクライアントコンピュータがコンピュータプログラムをダウンロードしてプログラムするような方法も考えられる。
【符号の説明】
【００６４】
１００  デジタルカメラ、１０１  制御部、１０２  撮像部、
１０３  不揮発性メモリ、１０４  作業用メモリ、１０５  操作部、
１０６  表示部、１１１  通信部
【図１】
2018180307.tif 000003
【図２】
2018180307.tif 000004
【図３】
2018180307.tif 000005
【図４】
2018180307.tif 000006
【図５】
2018180307.tif 000007
【図６】
2018180307.tif 000008
【図７】
2018180307.tif 000009